【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
手持式の電動工具に用いられるバッテリパック（１０；１１０）であって、
剛性を有する材料で構成され、その内部に、外部環境と通気的に接続された冷却風通路（５４）と、その冷却風通路から隔離された少なくとも一つの隔離空間（５２）とを有するハウジング（１８）と、
前記ハウジング内に配置され、前記隔離空間を前記冷却風通路から分離遮断している少なくとも一つの隔離壁（４４）と、
その端部（３２ａ）が前記少なくとも一つの隔離空間内に位置し、かつ、その中間部（３２ｂ）が前記冷却風通路に隣接して位置するように、前記ハウジング内に配置された複数のバッテリセル（３２）と、を備え、
前記複数のバッテリセルには、前記少なくとも一つの隔離壁の複数の第１部分（７８）がそれぞれ接触しており、
少なくとも前記複数の第１部分（７８）は、前記ハウジング（１８）の剛性を有する材料よりも、柔軟性及び／又は弾力性の高い材料で形成されており、
前記ハウジング（４８）は、上側半部材（２０）と下側半部材（２０）とで構成されており、
前記ハウジング（１８）の剛性を有する材料よりも、柔軟性及び／又は弾力性の高い材料で形成されたシール（４２）が、少なくとも部分的に、前記隔離空間（５４）内であって、前記上側半部材（２０）と下側半部材（２０）との接続部分に沿って設けられている、バッテリパック。
【請求項２】
前記バッテリセル（３２）の端部（３２ａ）は、金属製のバッテリセル電極を有する、請求項１に記載のバッテリパック。
【請求項３】
前記少なくとも一つの隔離壁には、互いに離間した複数の第１孔が形成され、
前記複数のバッテリセル（３２）は、それぞれ前記複数の第１孔を通過して伸びており、
前記第１部分（７８）は、前記第１孔の周縁である、請求項１又は２に記載のバッテリパック。
【請求項４】
前記バッテリセル（３２）に電気的に接続された回路基板（３６）をさらに備え、
前記回路基板は、前記ハウジング（１８）に収容されており、その端部（３６ａ）が前記少なくとも一つの隔離空間（５２）内に位置し、かつ、その中間部（３６ｂ）が前記冷却風通路（５４）に隣接して位置するように、前記少なくとも一つの隔離壁（４４）を通過して伸びており、
前記少なくとも一つの隔離壁（４４）は、前記回路基板に接触する少なくとも一つの第２部分（８２）が、前記ハウジングの剛性を有する材料よりも、柔軟性及び／又は弾力性の高い材料で形成されている、請求項１から３のいずれか一項に記載のバッテリパック。
【請求項５】
手持式の電動工具に用いられるバッテリパック（１０；１１０）であって、
剛性を有する材料で構成され、その内部に、外部環境と通気的に接続された冷却風通路（５４）と、その冷却風通路から隔離された少なくとも一つの隔離空間（５２）とを有するハウジング（１８）と、
前記ハウジング内に配置され、前記隔離空間を前記冷却風通路から分離遮断している少なくとも一つの隔離壁（４４）と、
前記ハウジング内に配置された複数のバッテリセル（３２）と、
その端部（３６ａ）が前記少なくとも一つの隔離空間（５２）内に位置し、かつ、その中間部（３６ｂ）が前記冷却風通路（５４）に隣接して位置するように、前記少なくとも一つの隔離壁（４４）を通過して伸びている回路基板（３６）と、を備え、
前記回路基板（３６）に接触する前記少なくとも一つの隔離壁（４４）の少なくとも一つの第２部分（８２）が、前記ハウジング（１８）の剛性を有する材料よりも、柔軟性及び／又は弾力性の高い材料で形成されている、バッテリパック。
【請求項６】
前記少なくとも一つの隔離空間（５２）に配置された回路基板（３６）の端部（３６ａ）には、前記回路基板（３６）を少なくとも一つの前記バッテリセル（３２）と電気的に接続する導電体（４０）の一部（４０ａ）が固定されている、請求項４又は５に記載のバッテリパック。
【請求項７】
前記導電体は、導電線、導電板、及び／又はフレキシブル基板である、請求項６に記載のバッテリパック。
【請求項８】
前記電動工具の対応する接触式端子と電気的に接触する少なくとも一つの接触式端子（３４）をさらに備え、
その少なくとも一つの接触式端子は、前記回路基板（３６）の中間部（３６ｂ）に設けられている、請求項４から７のいずれか一項に記載のバッテリパック。
【請求項９】
前記隔離壁（４４）には、第２孔（８０）が形成されており、
前記回路基板（３６）は、前記第２孔を通過して伸びており、
前記少なくとも一つの第２部分（８２）は、前記第２孔の周縁である、請求項４から８のいずれか一項に記載のバッテリパック。
【請求項１０】
前記隔離壁（４４）は、前記隔離空間（５４）内の圧力の増加及び減少に応じて拡張及び収縮するように構成された少なくとも一つの弾性部を備える、請求項１から９のいずれか一項に記載のバッテリパック。
【請求項１１】
手持式の電動工具に用いられるバッテリパック（１０；１１０）であって、
剛性を有する材料で構成され、その内部に、外部環境と通気的に接続された冷却風通路（５４）と、その冷却風通路から隔離された少なくとも一つの隔離空間（５２）とを有するハウジング（１８）と、
前記ハウジング内に配置され、前記隔離空間を前記冷却風通路から分離遮断している少なくとも一つの隔離壁（４４）と、
その端部（３２ａ）が前記少なくとも一つの隔離空間内に位置し、かつ、その中間部（３２ｂ）が前記冷却風通路に隣接して位置するように、前記ハウジング内に配置された複数のバッテリセル（３２）と、を備え、
前記複数のバッテリセルには、前記少なくとも一つの隔離壁の複数の第１部分（７８）がそれぞれ接触しており、
少なくとも前記複数の第１部分（７８）は、前記ハウジング（１８）の剛性を有する材料よりも、柔軟性及び／又は弾力性の高い材料で形成されており、
前記隔離壁（４４）は、前記隔離空間（５４）内の圧力の増加及び減少に応じて拡張及び収縮するように構成された少なくとも一つの弾性部を備える、バッテリパック。
【請求項１２】
前記少なくとも一つの弾性部は、前記隔離空間（５４）内の圧力の増加及び減少に応じて、前記隔離空間内の体積を変化させることにより、前記隔離空間内の圧力変化を制限又は打ち消するように構成されている、請求項１０又は１１に記載のバッテリパック。
【請求項１３】
前記少なくとも一つの弾性部は、前記隔離壁（４４）の他の部分よりも薄い、請求項１０から１２のいずれか一項に記載のバッテリパック。
【請求項１４】
前記少なくとも一つの弾性部は、前記隔離壁（４４）の他の部分に対して、突出又は陥没している、請求項１０から１３のいずれか一項に記載のバッテリパック。
【請求項１５】
前記シール（４２）及び前記少なくとも一つの隔離壁（４４）は、それらの間に繋ぎ目なく、一体に形成されている、請求項１４に記載のバッテリパック。
【請求項１６】
前記少なくとも一つの隔離壁（４４）の全体が、前記ハウジング（１８）の剛性を有する材料よりも、柔軟性及び／又は弾力性の高い材料で形成されている、請求項１から１５のいずれか一項に記載のバッテリパック。
【請求項１７】
前記ハウジング（１８）の剛性を有する材料よりも柔軟性及び／又は弾力性の高い材料は、天然ゴム、合成ゴム、その他のゴム材料、及び／又はエラストマを有する、請求項１から１６のいずれか一項に記載のバッテリパック。
【請求項１８】
少なくとも前記複数の第１部分の材料（７８）及び／又は前記少なくとも一つの第２部分（８２）の材料は、タイプＡのデュロメータにおいて７０〜９０の間の高度を有する、請求項１から１７のいずれか一項に記載のバッテリパック。
【請求項１９】
前記少なくとも一つの隔離壁（４４）は、その全体が、タイプＡのデュロメータにおいて７０〜９０の間の高度を有する材料で形成されている、請求項１８に記載のバッテリパック。
【請求項２０】
前記ハウジング（１８）の剛性を有する材料は、１．０−３．０ＧＰａ、より好ましくは、２．０−２．５ＧＰａのヤング率を有する、請求項１から１９のいずれか一項に記載のバッテリパック。